(57)【要約】【課題】撹拌翼と洗濯軸の固定の信頼性の高い洗濯機を実現する。【解決手段】洗濯兼脱水槽４を回転させる中空の脱水軸７と、洗濯兼脱水槽４内に配設した撹拌翼５を回転させかつ脱水軸７と同軸上に配設した洗濯軸８と、洗濯軸８に嵌合する撹拌翼の中央に配置した金属部材１２とを備え、金属部材１２はアルミダイカストなどの成型品とし、金属部材１２と洗濯軸８の間には、内部にセレーション形状を有する金属部材１２より剛性の高いステンレス鋼材などの強化部材１７をインサート成型することにより信頼性を向上することができる。【選択図】図１
2009000147.tif 000002
【特許請求の範囲】
【請求項１】
洗濯兼脱水槽を回転させる中空の脱水軸と、前記洗濯兼脱水槽内に配設した撹拌翼を回転させかつ前記脱水軸と同軸上に配設した洗濯軸と、前記洗濯軸に嵌合する前記撹拌翼は中央に金属部材を配置し、前記金属部材はアルミダイカストなどの成型品とし、前記金属部材と前記洗濯軸の間には、内部にセレーション形状を有する前記金属部材より剛性の高いステンレス鋼材などの強化部材をインサート成型した洗濯機。
【発明の詳細な説明】
【技術分野】
【０００１】
本発明は衣類を洗い、すすぎ、脱水の一連の行程を行う洗濯機に関するものである。
【背景技術】
【０００２】
従来、この種の洗濯機は、中空脱水軸に同軸的に軸支された洗濯軸上端に、衣類撹拌用の撹拌翼を固定する構成であった（例えば、特許文献１参照）。
【０００３】
図３は、従来の洗濯機の側断面図を示すもので、図４は、同洗濯機の撹拌翼の締結状態を示す断面図であり、以下その構成について説明する。
【０００４】
図３において、洗濯機本体１は、内部に脱水運転時の振動を防振するように、サスペンション２によって懸架された水受け槽３を設け、水受け槽３内に洗濯兼脱水槽４を回転自在に配設し、この洗濯兼脱水槽４の内底部に洗濯物を撹拌する撹拌翼５を回転自在に配設している。中空状の脱水軸７は、水受け槽３の外底部に設けた軸受部６によって軸支され、前記脱水軸７の上端側は洗濯兼脱水槽４の底部に固定し、洗濯兼脱水槽４を脱水回転させる。
【０００５】
水受け槽３外底部には、モータ１０を固着し、その回転力は前記軸受部６を介して前記脱水軸７、または撹拌翼５に伝達される。
【０００６】
図４において、洗濯軸８は、ステンレス鋼等の不錆金属材で構成され、前記中空状の脱水軸７内に同軸的に軸支されると共に、上端側に撹拌翼５をネジ１４にて固定して撹拌翼の洗濯回転をおこなう。
【０００７】
撹拌翼５は、一般的に合成樹脂等の成型材にて構成されるので、前記洗濯軸８への取り付け部分には、回転モーメントの負荷に耐えうるように金属部材１２をインサートし、更に前記金属部材１２の前記洗濯軸８挿入部は、セレーション加工部１１にて回転荷重に耐えるようにしている。また、金属部材１２の外周部１６にも、撹拌翼５の挿入穴１５への挿入部分にも径大のスプライン加工等を施して、回転負荷に耐えるようにしている。
【０００８】
金属部材１２の形状は、外周を撹拌翼５に挿入するだけでなく、ネジ１４を装着または挿入する為の形状、また洗濯軸８の軸方向のいわゆるスラスト荷重を支持するためのフランジ部１６ａ等が構成した、複雑な形状となるので、アルミ合金等の加工性、生産性の良い材質となっている。
【０００９】
以上のような構成で、洗濯工程では、洗濯兼脱水槽４に洗濯物と水及び洗剤を投入し、軸受部６のクラッチを洗濯側に切り換えて、モータ１０の回転力を軸受部６、脱水軸７とつながっている撹拌翼５に伝達し、撹拌翼５の回転により発生した水の流れによる洗濯物の回動、更に撹拌翼５の正逆反転水流での洗濯物どうし複雑なこすれあい、または洗濯兼脱水槽４、撹拌翼５との接触による摩擦等により洗浄効果を得る。
【００１０】
脱水工程では洗濯兼脱水槽４に洗濯物を投入した状態で、軸受部６のクラッチを脱水側に切り換えて、モータ１０の動力を軸受部６、脱水軸７とつながっている洗濯兼脱水槽４に伝達して洗濯兼脱水槽４を高速回転させ、遠心力により水分を洗濯物から分離することで行う。
【特許文献１】特開２００３−１３５８８８号公報
【発明の開示】
【発明が解決しようとする課題】
【００１１】
しかしながら、このような従来の構成では、近年洗濯機の大容量化に伴うモータのトルクの増大、撹拌翼５の左右反転回数の増大、等により、撹拌翼５には、より大きな荷重が加わるようになり、繰り返し反転動作をしているうちに磨耗が進行し、特に撹拌翼５と洗濯軸８との挿入部分である、金属部材１２のセレーション加工の中心部が磨耗し、洗濯軸８からはずれてしまうという課題を有していた。
【００１２】
金属部材１２のみで強度を向上させるには、材質等を剛性のあるものに変更すれば可能であるが、金属部材１２の形状は、外周を撹拌翼５に挿入形状に加え、ネジ１４を装着または挿入する為の形状、また洗濯軸８に軸方向のスラスト荷重を支持フランジ部１６ａ等が構成した複雑な形状であるから、生産性、加工性の良いアルミ合金の材質が一般的であり、剛性の高い材質で加工構成するには、生産性が大きく低下してしまう。
【００１３】
本発明は、前記従来の課題を解決するもので、撹拌翼と洗濯軸との固定を、より確実な構成にした洗濯機を提供することを目的としている。
【課題を解決するための手段】
【００１４】
前記従来の課題を解決するために、本発明の洗濯機は、洗濯兼脱水槽を回転させる中空の脱水軸と、前記洗濯兼脱水槽内に配設した撹拌翼を回転させかつ前記脱水軸と同軸上に配設した洗濯軸と、前記洗濯軸に嵌合する前記撹拌翼は、中央に金属部材を配置し、前記金属部材は成形上の問題からアルミダイカストやアルミ合金などの成型品を材質とし、前記金属部材と洗濯軸の間には、内部にセレーション形状を有する前記金属部材より剛性の高いステンレス鋼材などの強化部材をインサート成型したものである。
【００１５】
これにより、洗濯軸中心側のより大きな回転トルクの加わる箇所には剛性のある部材が配されることにより、撹拌翼と洗濯軸の磨耗を抑制することができるために信頼性の高い洗濯機が得られるものである。
【発明の効果】
【００１６】
本発明の洗濯機は、撹拌翼の洗濯軸の固定構成で信頼性の高い洗濯機を実現することができる。
【発明を実施するための最良の形態】
【００１７】
第１の発明は、洗濯兼脱水槽を回転させる中空の脱水軸と、前記洗濯兼脱水槽内に配設した撹拌翼を回転させかつ前記脱水軸と同軸上に配設した洗濯軸と、前記洗濯軸に嵌合する前記撹拌翼は中央に金属部材を配置し、前記金属部材はアルミダイカストなどの成型品を材質とし、前記金属部材と前記洗濯軸の間には、その内部にはセレーション形状を有する前記金属部材より剛性の高いステンレス鋼材などの強化部材をインサート成型したことにより、撹拌翼と洗濯軸の磨耗を抑制することができるために信頼性の高い洗濯機が得ることができる。
【００１８】
以下、本発明の実施の形態について、図面を参照しながら説明する。なお、従来例と同じ構成のものは同一符号を付して説明を省略する。また、この実施の形態によって本発明が限定されるものではない。
【００１９】
（実施の形態１）
図１は、本発明の実施の形態における洗濯機の撹拌翼締結状態を示す断面図であり、図２は、同洗濯機の撹拌翼取り付け部分の分解斜視図である。
【００２０】
図１において、洗濯軸８は、中空状の脱水軸７に同軸的に軸支され、上端側に撹拌翼５をネジ１４にて固定して撹拌翼５の洗濯回転をさせる。
【００２１】
撹拌翼５の洗濯軸８への取り付け部分には、金属部材１２を撹拌翼５の挿入穴１５に挿入し、金属部材１２の内径部には強化部材１７を配し、強化部材１７の内径部が洗濯軸８に挿入される。
【００２２】
金属部材１２は、アルミダイカストやアルミ合金などの成形品で構成し、強化部材１７は、金属部材１２より、剛性の硬い例えばステンレス鋼材等の材質で構成する。
【００２３】
図２において、洗濯軸８の上端部８ａは雄セレーション加工とし、強化部材１７の内径部１７ａの雌セレーション加工部に挿入される。強化部材１７の外径部１７ｂには、強化部材セレーション加工を施し、金属部材１２の内径部１２ａの内径部セレーション加工部に挿入する。
【００２４】
金属部材１２は、外形部１２ｂに、前述の撹拌翼５挿入穴１５のスプライン加工部に挿入する外形スプライン加工を形成する。
【００２５】
以上のように構成した洗濯機においては、モータの回転トルクがもっとも強く荷重する軸中心部に近い、洗濯軸部分に強化部材１７を構成したので、洗濯機の大容量化に伴うモータのトルク増大にも耐えうる構成を提供できる。
【００２６】
また、剛性のある強化部材１７は硬度が高く加工が困難であるので、生産性の点から比較的単純な加工が望ましいが、本実施例では強化部材１７を単純円筒状に形成し、内径部１７ａ、外径部１７ｂ共に機械加工あるいは単純な鍛造加工が可能な形状として、構成している。
【００２７】
以上のように本実施の形態においては、洗濯軸８に嵌合する撹拌翼５は中央に金属部材を配置し、金属部材１２はアルミダイカストなどの生産性の良い成型品を材質とし、その内部にはセレーション形状を有するステンレス鋼材などの強化部材１７をインサート成型したことにより、撹拌翼と洗濯軸の磨耗を抑制することができるために信頼性の高い洗濯機を実現することができる。
【産業上の利用可能性】
【００２８】
以上のように、本発明にかかる洗濯機は、信頼性の高い洗濯が可能となるので、洗濯機等として有用である。
【図面の簡単な説明】
【００２９】
【図１】本発明の実施の形態１における洗濯機の撹拌翼の締結状態を示す断面図
【図２】同洗濯機の撹拌翼取り付け部分の分解斜視図
【図３】従来の洗濯機の側断面図
【図４】従来の洗濯機の撹拌翼の締結状態を示す断面図
【符号の説明】
【００３０】
４    洗濯兼脱水槽
５    撹拌翼
７    脱水軸
８    洗濯軸
１２  金属部材
１７  強化部材
【図１】
2009000147.tif 000003
【図２】
2009000147.tif 000004
【図３】
2009000147.tif 000005
【図４】
2009000147.tif 000006